(57)【要約】【課題】  本発明は、廃棄物焼却スラッジ等の廃棄物を有効活用するために混入させると共に、スラッジ等に混入している育成障害要素を発現させず、且つ、内部に混合した肥料成分を順次溶出させて栽培植物の育成を促進する植物育成具、植物育成器具、漏水防止材付植物育成器具を提供することを目的とする。【解決手段】  本発明の植物育成具は、肥料１と、骨材３及び／又は添加物４と、該肥料１と骨材３及び／又は添加物４を連結固形化する連結材５と、を有し、該肥料１と骨材３及び／又は添加物４と連結材５とを添加液体６と共に撹拌混合した後、成形したことを特長とする。【選択図】      図１
2005218373.tif 000002
【特許請求の範囲】
【請求項１】
肥料と、骨材と、該肥料と骨材を連結固形化する連結材と、を有し、
該肥料と骨材並びに連結材を添加液体と共に撹拌混合した後、成形したことを特徴とする植物育成具。
【請求項２】
肥料と、炭と、骨材と、該肥料と炭と骨材を連結固形化する連結材と、を有し、
該肥料と炭と骨材並びに連結材を添加液体と共に撹拌混合した後、成形したことを特徴とする植物育成具。
【請求項３】
前記骨材が、砂や砂利或は砕石等の無機鉱物としての天然骨材或は／又は粉砕し粉粒塊状にしたガラスやコンクリートを含むセラミック或は焼却した廃棄物スラッジを始めとした各種スラッジ等の人工鉱物、破砕或は切断した粉粒塊状木片、粉粒塊状合成樹脂片のうち何れか１つ或は任意の組合せとしての添加物であることを特徴とする請求項１又は２記載の植物育成具。
【請求項４】
連結材が、セメント、石膏、粘土、接着剤、寒天のうち何れか１つ或は任意の組合せであることを特徴とする請求項１乃至３の内１項記載の植物育成具。
【請求項５】
前記添加液体が、水或は／及び液体肥料であることを特徴とする請求項１乃至４の内１項記載の植物育成具。
【請求項６】
前記植物育成具が、容器であることを特徴とする請求項１乃至５のうち１項記載の植物育成容器。
【請求項７】
前記植物育成容器と、該植物育成容器の裏面に取付けた漏水防止材とを有することを特徴とする請求項６記載の漏水防止材付植物育成容器。
【請求項８】
前記植物育成容器と漏水防止材の間に保水層を形成したことを特徴とする請求項７記載の漏水防止材付植物育成容器。
【発明の詳細な説明】
【技術分野】
【０００１】
本発明は植物育成具、植物育成容器、漏水防止材付植物育成容器に関する。
【背景技術】
【０００２】
本発明の出願は、平成１４年１２月に当社が出願した「粉粒竹炭含有組成物及び粉粒竹炭含成形品」（特願２００２−３５１２６５）を改良したものである。
【０００３】
上記の先願では、連結材としてのセメントと無機粉粒物としての砂利や砂等の骨材に粉粒竹炭を加え、水と混合して練り成形したプランター、植木鉢、花器等の粉粒竹炭含成形品を含むものであり、粉粒竹炭を加えることにより、植物の生育を促進し、活花の日保ちを長くするものであった。
【０００４】
花器内の水と生花の切り口の腐敗を防止するため花器内の生花を支える華道道具としてセメントと砂と竹炭と炭塊を混合して練ったものがあった（特許文献１参照）。
【０００５】
焼却灰をセメント混和材として利用したものもあったが（特許文献２）、植物栽培用としての植木鉢などに「セメントと、竹炭と、砂利や砂等の骨材（可燃廃棄物の粉粒スラッジを含む）」に「粉砕した粉粒製紙スラッジや肥料を混合」したものはなかった。
【０００６】
更に、肥料を混合したり浸透させた植木鉢等植物栽培用コンクリート製品から肥料成分を順次浸出させながら栽培植物の育成を促進しようと言う考え方は存在しなかった。
【特許文献１】実用新案登録第３０８９８９９
【特許文献２】特開２００２-３２１９５２
【発明の開示】
【発明が解決しようとする課題】
【０００７】
しかしながら、最終埋立地不足から急増する焼却した廃棄物のスラッジ、製紙スラッジ等の各種スラッジ、使用済みのガラスやコンクリートの塊等の最終処分が大きな社会問題となっている。これらのスラッジとセメントを混合して成形したコンクリート製品を使って植物を育成すると、コンクリートやスラッジのアルカリ成分や酸性成分が、植物の生育に障害を引き起こすことがあった。
【０００８】
本発明は、内部に肥料を混合したり、液体肥料を浸透させ、これらの肥料成分を栽培土中に順次浸出させながら栽培植物の育成を促進できる植物育成具、植物育成容器、漏水防止材付植物育成容器を提供すると共に、廃棄物焼却スラッジや製紙スラッジ等を有効に活用した育成障害のない植物育成具、植物育成容器、漏水防止材付植物育成容器を提供することを目的としている。
【課題を解決するための手段】
【０００９】
上記目的を達成するために本願の第１の発明の植物育成具は、肥料と、骨材（天然骨材或は／添加物）と、該肥料と骨材を連結固形化する連結材と、を有し、該肥料と骨材と連結材とを添加液体と共に撹拌混合した後、成形したことを特徴とし、第２の発明の植物育成具は、前記構成に炭を加えたものである。
【００１０】
第３の発明の植物育成具は、前記構成の骨材が、砂や砂利或は砕石等の無機鉱物としての天然骨材或は／又は粉砕し粉粒化したガラスやコンクリートを含むセラミックス或は焼却した廃棄物スラッジを始めとした各種スラッジ等の人工無機鉱物、破砕或は切断した粉粒塊状木片、粉粒塊状合成樹脂片のうち何れか１つ類は任意の組合せとしての添加物であることを特徴とする。
【００１１】
第４の発明の植物育成具は、前記連結材が、セメント、石膏、粘土、接着剤、寒天等のうち何れか１つ或は任意の組合せであることを特長とする。第５の発明の植物育成具は、前記添加液体が、水及び／又は液体肥料であることを特徴とする。
【００１２】
第６の発明の植物育成具は、植物育成具が、容器であることを特徴とし、第７の発明の漏水防止機材付植物育成容器は、前記植物育成容器と該植物育成容器の裏面に取付けた漏水防止材とを有することを特徴とし、第８の発明の漏水防止材付植物育成容器は、前記植物育成容器と漏水防止材の間に保水層を形成したことを特徴とする。
【００１３】
尚、本発明で言う骨材には、砂や砂利或は砕石等の天然無機鉱物骨材と、これらの天然無機鉱物骨材以外の粉砕し粉粒化したガラスやコンクリートを含むセラミックス或は焼却した廃棄物スラッジを始めとした各種スラッジ等の人工無機鉱物、破砕或は切断した粉粒塊状木片、粉粒塊状合成樹脂片のうち何れか１つ或は任意の２つ以上の組合せである骨材とを含む。そして、前者の骨材を「天然骨材３」、後者の骨材を「添加物４」と夫々表記する。粉粒塊状とは、粉状、粒状、或は、塊状の何れでも良いことを意味するが、植物育成具、植物育成容器、漏水防止材付植物育成容器の大きさや形状により塊状は制約を受ける。
【００１４】
又、肥料は、動植物性廃棄物を腐敗させて肥料化したものを他の添加物と混合し易いように細かく切断したり粉砕した有機肥料が好ましいが、窒素・リン酸・カリ等の化学肥料を始めとしたその他の肥料も含まれる。
【発明の効果】
【００１５】
第１の発明の植物育成具は、肥料が内部に練り込まれており、この植物育成具を植木鉢等の容器内に栽培用の土と共に入れて植物を植え、植物栽培中水を補給すると、容器内の栽培用土内の水分に植物育成具内部の肥料が長期間に渡り順次染み出し植物の生育を促進できる。残留肥料が少なくなった植物育成具を再使用する時や植物を植え替えるときに植物育成具を液体肥料内に浸漬し肥料成分を繰返し補給することができる。
【００１６】
第２の発明の植物育成具は、内部に練り込まれた竹炭の浄化作用により添加物内に含有されている植物の発育阻害要素が浄化され、植物の成長が促進される。
【００１７】
第３の発明の植物育成具は、骨材として砂や砂利或は砕石等の無機鉱物としての天然骨材と共に、添加物としてガラスやコンクリート塊等の粉砕した無機廃棄物、焼却し粉砕した可燃廃棄物の粉粒スラッジ、粉砕した粉粒スラッジ、その他の粉砕した各種粉粒スラッジ等、従来、埋め立て処分していた人工無機鉱物等の添加物を植物育成具の原料として再利用できるから、埋立地不足の解消に役立つようになった。
【００１８】
粉砕した粉粒塊製紙スラッジのように酸性の添加物を使うと連結材としてのセメントのアルカリ成分と中和され植物の発育阻害要素の出現を抑制できる。又、従来放置されたり焼却されていた木の根や製材屑等の木片を使えば、植物育成容器内の間隙が多くなり、大量の肥料を混入したり大量の添加液としての液体肥料を吸収させ栽培植物の育成を促進できる。この結果、焼却処分されていた木片を粉粒塊状木片化し資源として再利用できるようになった。更に、合成樹脂片も粉粒塊状化して利用できる。
【００１９】
第４の発明の植物育成具は、連結材として従来のセメント以外に石膏、粘土、各種接着剤、寒天等を使えるので、連結材と骨材及び添加物の任意の組合せにより植物育成具を軽量化したり、植物育成具を発泡組織とする等用途に合わせて諸々の使い方が出きるようになった。例えば、発泡組織とすれば、組織内に大量の肥料を混入したり、後述の液体肥料を大量に含有させることができる。
【００２０】
第５の発明の植物育成具は、従来の考えでは添加液体として水を使うが、本発明では、添加液体として水以外に液体肥料も使えるようになり、植物育成具内の肥料成分が豊富になり、栽培植物の発育を一層促進できるようになった。
【００２１】
第６の発明の植物育成容器は、前記各植物育成具を容器化したもので、前述の夫々の効果と同じ効果を備えた植物育成容器が得られた。
【００２２】
第７の発明の漏水防止材付植物育成容器は、植物育成容器の裏面に漏水防止材が取り付けられているので前記漏水防止材付植物育成容器に植物を植え、水をたっぷり補給しても、漏水防止材付植物育成容器内の水に溶出した肥料成分が、液体肥料として漏出することがなく、安心して室内に置くことができる。
【００２３】
第８の発明の漏水防止材付植物育成容器は、植物育成容器と裏面の漏水防止材の間に液体肥料を保持する保水層が形成されているので、保水層内に保持された液体肥料が植物育成容器内に順次溶出供給され、栽培植物の根に供給される。又、保水層内の液体肥料も漏水防止材付植物育成容器の縁部の開口から繰返し補給できる。
【発明を実施するための最良の形態】
【００２４】
以下、本発明の実施例を図面を用いて説明する。
図１乃至図４は、本発明の植物育成具の実施例の製造工程を示す説明図である。図１に示すように、第１の発明の植物育成具は、肥料１と、骨材４０（天然骨材３及び／又は添加物４）、及び、連結材５を容器７内で撹拌混合して混合物８ａを得る。この混合物８ａに添加液体６を加えて再度容器９内で撹拌混合しペースト状の混合物１０ａを得る。このペースト状混合物１０ａを図示しない任意の形状の型枠に入れて成形乾燥させて植物育成具１１とする。この植物育成具１１は、出きるだけ体積が小さく表面積が広いものが良い。
【００２５】
図２に示すように、第２の実施例の植物育成具は、第１の実施例の肥料１と、骨材４０（天然骨材３及び／又は添加物４）、及び、連結材５に炭２を加え容器７内で撹拌混合して混合物８ｂとしたものである。これに添加液体６を加えて容器９内で撹拌混合してペースト状の混合物１０ｂとした。
【００２６】
図３に示すように、第３の実施例の植物育成具は、肥料１と、骨材４０（天然骨材３及び／又は添加物４）、及び、連結材５に添加液体６を加えて容器９内で撹拌混合して直接ペースト状の混合物１０ａとしたものである。
【００２７】
図４に示すように、第４の実施例の植物育成具は、第３の実施例の肥料１と、骨材４０（天然骨材３及び／又は添加物４）、及び、連結材５に炭２を加え容器９内で撹拌混合して混合物１０ｂとしたものである。
【００２８】
前記肥料１としては、動植物性廃棄物を肥料化した有機肥料を乾燥し、この乾燥した有機肥料を粉砕した粉粒有機肥料が好ましく、必要に応じ窒素、燐酸、カリ等の化学肥料も含まれる。
【００２９】
炭２としては木炭や竹炭を粉砕した粉粒塊状木炭及び／又は粉粒塊状竹炭があり、粉粒塊状木炭より粉粒塊状竹炭が好ましく他の植物を燃焼させた炭でも良い。尚、ここで言う粉粒塊状とは、粉状でも粒状でも良く、植物育成具や植物育成容器に混合できる範囲で塊状でも良いことを意味する。
【００３０】
骨材３としては、従来通り砂利・砕石・砂等の天然無機鉱物がある。添加物４として、粉砕し粉粒塊状にした廃棄ガラスやコンクリート塊を含むセラミックス、焼却して得られた可燃廃棄物スラッジ、粉砕した粉砕した製鉄スラッジ等の粉砕した無機廃棄物、その他の粉砕した各種粉粒スラッジ等の無機或は無機化し粉砕した粉粒廃棄物等の人工無機鉱物が考えられる（可能な限り従来は埋め立て処分されていた廃棄物を多用する）。例えば、製鉄スラッジや製紙スラッジ粉砕し粉粒塊化したり紙やダンボール細かく裁断し微細化紙片（古紙が望ましい）がある。更に、破砕或は切断した粉粒塊状木片、粉粒塊状合成樹脂等であっても良い。尚、粉粒塊状とは、粉体、粒体、塊体を含む概念である。上記混合物８ａ，８ｂ，１０ａ，１０ｂには、骨材３と添加物４のうちの何れか１つ或は任意の組合せが混合してあれば良い。
【００３１】
連結材５は、ポルトランドセメント、エコセメント、発泡セメントなど任意のセメントで良く、これらのセメントに限らず石膏であっても良い。添加液体６として水及び／又は肥料成分を溶解した液体肥料を使う。
【００３２】
上記のようにして製造した植物育成具１１を別途用意した図示しない容器内に土と共に入れて植物を植えると、従来の鉢に植えた植物より成長が早く、花器として使った場合は、活けた花卉の日保ちが良いのみならず、時には切り口近傍に発根が見られるから挿し木用や水耕栽培用としても使える。
【００３３】
以下、上記構成の植物育成具１１の効果を列記する。図５の断面図に示すように、前記植物育成具１１には、肥料１が混合されている。この複数個の任意の形状の立方体で形成した植物育成具１１を陶磁器製、合成樹脂製、木製その他の素材で形成した鉢や容器２１内に入れ、植物育成具１１上に腐葉土等の栽培用土２２を入れ、或は、植物育成具１１と前記栽培用土２２を混合して入れ植物を栽培すると、前記植物育成具１１の効果が発揮され、植物の発育が早い。尚、この植物育成具１１を大型の植物栽培用施設や水耕栽培用施設に入れても良い。
【００３４】
又、前記植物育成具１１を水と共に容器や花器内に入れ、植物を差込むと、植物の切り口近傍から発根するから、水耕栽培用や挿し木用として効果的である。更に、セメント等の骨材３や連結材５を混合する時の添加液体６としての液体肥料を使うと、植物育成具１１内の肥料成分の濃度が高くなり栽培植物の発育が一層高くなる。発泡セメントを連結材５としたり骨材３を使うと、植物育成具１１内に間隙が多くなり、この間隙内に肥料１や添加液体６としての液体肥料が組織内に大量に保持されると共に間隙が肥料成分の通路となり植物育成具１１内から栽培用土内に流出し易く、且つ、軽量化できる。前述の木片を添加物４として使うと肥料１や添加液体６を組織内に大量に保持できる。
【００３５】
前記植物育成具１１は、炭２の浄水効果を利用したもので、栽培植物の発育を促進できる。尚、木炭より竹炭の方が前記吸着力が大きく効果的である。又、添加物４として混合された酸性の粉粒製紙スラッジは、連結材５としての混合されたセメントのアルカリ性を中和してくれるから、アルカリによる植物の発育阻害を発生させない。
【００３６】
前記植物育成具１１は、添加物４として諸々の廃棄物を使えるから、埋立地不足と言う社会的難題解決に寄与できる上に、環境汚染低減に役立つ。
【００３７】
図６に示すように、植物育成具１１を鉢や容器３１として形成し、内部に栽培用土２２を入れて植物を栽培する。この鉢や容器３１の形状や大きさを問わないから、大型の植物栽培用施設や水耕栽培用施設としてつくることもできる。上記構成の植物育成容器３１は、前記植物育成具１１の夫々の効果を有している。
【００３８】
図７に示すように、栽培植物の植替え時や継続使用により鉢や容器３１の含有する肥料１が溶出して少なくなったときなどに別途用意した容器３２に添加液体６としての液体肥料６ａを入れ、鉢や容器３１を浸漬することにより鉢や容器３１に液体肥料６ａを吸収させ繰返し使用することができる。
【００３９】
前記鉢や容器３１は、型枠に入れて成形してあるため鉢や容器３１の表面は連結材５（コンクリート等）が剥き出しであり室内に飾る盆採用や花器として見苦しい。改善策として、図８に示すように、型枠の代わりに陶磁器、金属容器、合成樹脂容器等の漏水防止材３３を用い、型枠である漏水防止材３３と一体の外鉢や外容器即ち漏水防止材付植物育成容器３４を形成する。この鉢や容器３１と漏水防止材３３を着脱自在としても良い。尚、漏水防止材３３として外鉢や外容器に拘るものではなく、各種防水塗料などを鉢や容器３１の外表面に塗布するなど他の方法であってもよい。
【００４０】
上記構成の漏水防止材付植物育成容器３４は、外面に漏水防止材３３が取付けられているので、栽培植物に給水したとき、水に溶け出した肥料成分が漏水防止材付植物育成容器３４から漏出することを防げる。
【００４１】
図９に示すように、前記漏水防止材付植物育成容器３４の鉢や容器である植物育成容器３１と漏水防止材として外容器３３の間に保水層３５を形成した前記漏水防止材付植物育成容器３６とすることもできる。この保水層３５は、前述の液体肥料６ａを収納保持するものであり、漏水防止材付植物育成容器３６の外周縁に液体肥料６ａ注入する注ぎ口３７を形成するとよい。
【００４２】
上記構成の漏水防止材付植物育成容器３６は、注ぎ口３７に液体肥料６ａを注入することにより簡単に追肥することが出きる。
【００４３】
テスト時の植物育成容器の成分配合比率は、以下の通りであり、紙粉、竹炭粉を配合した植物育成容器の方が、紙粉、竹炭粉を配合しなかった植物育成容器に比較し、植物の生育が早かった。又、ポルトランドセメントはアルカリ性であるが、ポルトランドセメントと紙粉を配合し、水を加え混合したとき、リトマス試験紙で性状を調べたところ、中性であった。
【００４４】
植物育成容器の配合比（重量比）  例１．
ポルトランドセメント  ４００ｇ、
紙粉                  ２１０ｇ、
乾燥砂                ４９０ｇ、
竹粉                  １９０ｇ
【００４５】
植物育成容器の配合比（重量比）  例２．
ポルトランドセメント    １７
紙粉                      ５
砂                      ５０
竹炭                      ４
水                      ２０
【産業上の利用可能性】
【００４６】
本発明の植物育成具、植物育成容器、漏水防止材付植物育成容器は、植木鉢やプランター或は植物栽培用施設等植物育成用として利用できる。
【図面の簡単な説明】
【００４７】
【図１】本発明の植物育成具の製造工程を示す工程図である。
【図２】本発明の植物育成具の異なる製造工程を示す工程図である。
【図３】本発明の植物育成具の異なる製造工程を示す工程図である。
【図４】本発明の植物育成具の異なる製造工程を示す工程図である。
【図５】本発明の植物育成具の使用状態を説明する断面図である。
【図６】本発明の植物育成容器を示す断面図である。
【図７】本発明の植物育成具を液体肥料中に浸漬し、肥料成分を補充する状態を示す分解断面図である。
【図８】本発明の漏水防止材付植物育成容器を示す断面図である。
【図９】本発明の漏水防止材付植物育成容器を示す断面図である。
【符号の説明】
【００４８】
１        肥料
１ａ      液体肥料
２        炭（木炭、竹炭）
３        骨材
４        添加物
５        連結材
６        添加液体（水或は液体肥料）
６ａ      液体肥料
７        容器
８ａ      混合物
８ｂ      混合物
９        容器
１０ａ      ペースト状混合物
１０ｂ      混合物
１１        植物育成具
２１        鉢や容器
２２        栽培用土
３１        鉢や容器
３２        容器
３３        漏水防止材
３４        漏水防止材付植物育成容器
３５        保水層
３６        漏水防止材付植物育成容器
３７        注ぎ口
【図１】
2005218373.tif 000003
【図２】
2005218373.tif 000004
【図３】
2005218373.tif 000005
【図４】
2005218373.tif 000006
【図５】
2005218373.tif 000007
【図６】
2005218373.tif 000008
【図７】
2005218373.tif 000009
【図８】
2005218373.tif 000010
【図９】
2005218373.tif 000011